(57)【要約】【課題】最適なユーザアカウントを発行することができるようにする。【解決手段】コマンド解析部１１１は、受信部１１４が受信させたコマンドであって、受信部１１４から供給されてくるコマンドを解析する。監視通報装置設定部１２３は、コマンド解析部１１１によるコマンドの解析結果に従って、コマンド解析部１１１から供給されてくるコマンドを基に、ユーザによって選択された監視通報装置に接続されたセンサに関する情報をユーザアカウント管理テーブルに格納させることで、閲覧や設定が可能となる監視通報装置に接続されたセンサを設定することで、最適なユーザアカウントを発行することができるようになる。本発明は、情報提供装置に適用できる。【選択図】図４
2010233231.tif 000002
【特許請求の範囲】
【請求項１】
複数のセンサを備える通報装置から通知されるデータを蓄積し、蓄積されたデータを提供する情報提供装置と、情報提供装置から提供されるデータを受信する電子機器とからなる通信システムにおいて、
前記電子機器は、
ユーザによる、前記通信システムにログインするためのユーザアカウントに関する情報の入力を受け付ける受付手段と、
受け付けた前記情報に基づいて、前記情報に応じた要求を生成する生成手段と、
生成した前記要求を前記情報提供装置宛に送信する送信手段と
を備え、
前記情報提供装置は、
前記電子機器から送信されてくる前記要求を受信する受信手段と、
前記要求を解析する解析手段と、
解析結果に基づいて、前記ユーザアカウントごとに、前記センサに関する設定の可否および前記センサから通知されるデータの閲覧の可否を設定する設定手段と
を備え、
前記センサに関する設定は、管理メニューおよび／または端末タイトル、データ設定を含む
ことを特徴とする通信システム。
【請求項２】
複数のセンサを備える通報装置から通知されるデータを蓄積し、蓄積されたデータを提供する情報提供装置と、情報提供装置から提供されるデータを受信する電子機器とからなる通信システムの通信方法において、
前記電子機器は、
ユーザによる、前記通信システムにログインするためのユーザアカウントに関する情報の入力を受け付ける受付ステップと、
受け付けた前記情報に基づいて、前記情報に応じた要求を生成する生成ステップと、
生成した前記要求の前記情報提供装置宛への送信を制御する送信制御ステップと、
を含み、
前記情報提供装置は、
前記電子機器から送信されてくる前記要求の受信を制御する受信制御ステップと、
前記要求を解析する解析ステップと、
解析結果に基づいて、前記ユーザアカウントごとに、前記センサに関する設定の可否および前記センサから通知されるデータの閲覧の可否を設定する設定ステップと
を含み、
前記センサに関する設定は、管理メニューおよび／または端末タイトル、データ設定を含む
ことを特徴とする通信方法。
【請求項３】
複数のセンサを備える通報装置から通知されるデータを蓄積し、蓄積されたデータを電子機器に提供する情報提供装置において、
前記電子機器から送信されてくる、自分と前記電子機器からなるシステムにログインするためのユーザアカウントに関する情報に対応した要求を受信する受信手段と、
前記要求を解析する解析手段と、
解析結果に基づいて、前記ユーザアカウントごとに、前記センサに関する設定の可否および前記センサから通知されるデータの閲覧の可否を設定する第１の設定手段と
を備え、
前記センサに関する設定は、管理メニューおよび／または端末タイトル、データ設定を含む
ことを特徴とする情報提供装置。
【請求項４】
解析結果に基づいて、前記ユーザアカウントごとに、下位の権限となるユーザアカウントの発行の可否を設定する第２の設定手段をさらに備える
ことを特徴とする請求項３に記載の情報提供装置。
【請求項５】
複数のセンサを備える通報装置から通知されるデータを蓄積し、蓄積されたデータを電子機器に提供する情報提供装置の情報提供方法において、
前記電子機器から送信されてくる、自分と前記電子機器からなるシステムにログインするためのユーザアカウントに関する情報に対応した要求の受信を制御する受信制御ステップと、
前記要求を解析する解析ステップと、
解析結果に基づいて、前記ユーザアカウントごとに、前記センサに関する設定の可否および前記センサから通知されるデータの閲覧の可否を設定する設定ステップと
を含み、
前記センサに関する設定は、管理メニューおよび／または端末タイトル、データ設定を含む
ことを特徴とする情報提供方法。
【請求項６】
複数のセンサを備える通報装置から通知されるデータを蓄積し、蓄積されたデータを電子機器に提供する処理を、コンピュータに行わせるプログラムにおいて、
前記電子機器から送信されてくる、自分と前記電子機器からなるシステムにログインするためのユーザアカウントに関する情報に対応した要求の受信を制御する受信制御ステップと、
前記要求を解析する解析ステップと、
解析結果に基づいて、前記ユーザアカウントごとに、前記センサに関する設定の可否および前記センサから通知されるデータの閲覧の可否を設定する設定ステップと
を含み、
前記センサに関する設定は、管理メニューおよび／または端末タイトル、データ設定を含む
ことを特徴とするプログラム。
【発明の詳細な説明】
【技術分野】
【０００１】
本発明は、通信システムおよび方法、情報提供装置および方法、並びにプログラムに関し、特に、最適なユーザアカウントを発行することができるようにした通信システムおよび方法、情報提供装置および方法、並びにプログラムに関する。
【背景技術】
【０００２】
近年、ネットワークに接続可能なコンピュータの普及によって、例えば、電力を監視するシステムなど、様々なシステムが構築されている。これらのシステムは、一般的に、機能やデータを提供するサーバおよびこれに接続するクライアント端末装置によって構築される。また、これらのシステムにおいては、システムを利用する正当なユーザのユーザアカウントをサーバ側で管理することで、不正なユーザがシステムにログインできないようにしている。
【０００３】
また、ユーザのパスワードと、そのユーザが所属する階層構造を形成するグループのIDとを格納するユーザ管理テーブルを備えることで、ユーザによって入力されたIDおよびパスワードのうち、入力されたIDが、ユーザ管理テーブルに格納されたグループのIDに該当し、かつ、入力されたパスワードが、そのグループの階層に所属するユーザのパスワードとなる場合に、ログインを許可させるグループウェアもある（例えば、特許文献１参照）。
【先行技術文献】
【特許文献】
【０００４】
【特許文献１】特開２００５−３２０７１号公報
【発明の概要】
【発明が解決しようとする課題】
【０００５】
しかしながら、各ユーザに対して、最適な権限の付与されたユーザアカウントを発行するには、ユーザアカウントごとに、複雑な設定をする必要があるとともに、ユーザアカウントを設定する作業が複雑になってしまうという問題があった。
【０００６】
また、最適な権限の付与されたユーザアカウントが発行されていないと、そのユーザアカウントでログインしたユーザは、システムの提供する機能を十分に活用できない可能性もある。
【０００７】
本発明はこのような状況に鑑みてなされたものであり、簡単に、より最適なユーザアカウントを発行することができるようにするものである。
【課題を解決するための手段】
【０００８】
本発明の通信システムは、電子機器が、ユーザによる、通信システムにログインするためのユーザアカウントに関する情報の入力を受け付ける受付手段と、受け付けた情報に基づいて、情報に応じた要求を生成する生成手段と、生成した要求を情報提供装置宛に送信する送信手段とを備え、情報提供装置が、電子機器から送信されてくる要求を受信する受信手段と、要求を解析する解析手段と、解析結果に基づいて、ユーザアカウントごとに、センサに関する設定の可否およびセンサから通知されるデータの閲覧の可否を設定する設定手段とを備え、センサに関する設定は、管理メニューおよび／または端末タイトル、データ設定を含むことを特徴とする。
【０００９】
本発明の通信システムにおいては、電子機器によって、ユーザによる、通信システムにログインするためのユーザアカウントに関する情報の入力が受け付けられ、受け付けられた情報に基づいて、情報に応じた要求が生成され、生成された要求が情報提供装置宛に送信され、情報提供装置によって、電子機器から送信されてくる要求が受信され、要求が解析され、解析結果に基づいて、ユーザアカウントごとに、センサに関する設定の可否およびセンサから通知されるデータの閲覧の可否が設定される。そして、センサに関する設定は、管理メニューおよび／または端末タイトル、データ設定を含む。
【００１０】
従って、このようにすることにより、上位の権限を付与されたユーザは、下位の権限を付与するユーザに対して、通報装置または通報装置に接続されたセンサを単位とするグルーピングして、ユーザアカウントを発行することができるので、簡単に、最適なユーザアカウントを発行することができる。
【００１１】
本発明の通信方法は、電子機器が、ユーザによる、通信システムにログインするためのユーザアカウントに関する情報の入力を受け付ける受付ステップと、受け付けた情報に基づいて、情報に応じた要求を生成する生成ステップと、生成した要求の情報提供装置宛への送信を制御する送信制御ステップとを含み、情報提供装置が、電子機器から送信されてくる要求の受信を制御する受信制御ステップと、要求を解析する解析ステップと、解析結果に基づいて、ユーザアカウントごとに、センサに関する設定の可否およびセンサから通知されるデータの閲覧の可否を設定する設定ステップとを含み、センサに関する設定は、管理メニューおよび／または端末タイトル、データ設定を含むことを特徴とする。
【００１２】
本発明の通信方法においては、電子機器によって、ユーザによる、通信システムにログインするためのユーザアカウントに関する情報の入力が受け付けられ、受け付けられた情報に基づいて、情報に応じた要求が生成され、生成された要求が情報提供装置宛に送信され、情報提供装置によって、電子機器から送信されてくる要求が受信され、要求が解析され、解析結果に基づいて、ユーザアカウントごとに、センサに関する設定の可否およびセンサから通知されるデータの閲覧の可否が設定される。そして、センサに関する設定は、管理メニューおよび／または端末タイトル、データ設定を含む。
【００１３】
本発明の情報提供装置は、電子機器から送信されてくる、自分と電子機器からなるシステムにログインするためのユーザアカウントに関する情報に対応した要求を受信する受信手段と、要求を解析する解析手段と、解析結果に基づいて、ユーザアカウントごとに、センサに関する設定の可否およびセンサから通知されるデータの閲覧の可否を設定する第１の設定手段とを備え、センサに関する設定は、管理メニューおよび／または端末タイトル、データ設定を含むことを特徴とする。
【００１４】
本発明の情報提供装置においては、電子機器から送信されてくる、自分と電子機器からなるシステムにログインするためのユーザアカウントに関する情報に対応した要求が受信され、要求が解析され、解析結果に基づいて、ユーザアカウントごとに、センサに関する設定の可否およびセンサから通知されるデータの閲覧の可否が設定される。そして、センサに関する設定は、管理メニューおよび／または端末タイトル、データ設定を含む。
【００１５】
従って、このようにすることにより、上位の権限を付与されたユーザは、下位の権限を付与するユーザに対して、通報装置または通報装置に接続されたセンサを単位とするグルーピングして、ユーザアカウントを発行することができるので、簡単に、最適なユーザアカウントを発行することができる。
【００１６】
受信手段は、有線または無線を介して相手から送信されてきたデータを受信できるものであればよく、例えば、専用のハードウェアなどにより構成される。
【００１７】
解析手段は、例えば、CPU（Central Processing Unit）などによって実行されるウェブサーバプログラムに含まれるコマンド解析部により構成される。コマンド解析部は、受信部から供給されてくるコマンドを解析し、解析した結果を基に、所定の処理を実行させる。
【００１８】
第１の設定手段は、例えば、CPUなどによって実行されるウェブサーバプログラムに含まれる監視通報装置設定部により構成される。監視通報装置設定部は、コマンド解析部によるコマンドの解析結果に従って、コマンド解析部からコマンドに付加されたパラメータが供給されてきた場合、所定の処理を行う。
【００１９】
従って、センサによって検知されるデータごとに、そのデータに対する閲覧などの設定を行うことで、より細かい単位（センサ単位で）で設定することができるので、使用するユーザの使用方法に合った、最適なユーザアカウントを簡単に発行することができる。
【００２０】
第２の設定手段は、例えば、CPUなどによって実行されるウェブサーバプログラムに含まれる権限設定部により構成される。権限設定部は、コマンド解析部によるコマンドの解析結果に従って、コマンド解析部からコマンドに付加されたパラメータが供給されてきた場合、所定の処理を行う。
【００２１】
従って、上位の権限を付与されたユーザは、ユーザアカウントを発行する場合、そのユーザアカウントの権限として、下位の権限のユーザアカウントを発行させるか否かの選択をすることができるので、簡単に、最適なユーザアカウントを発行することができる。
【００２２】
本発明の情報提供方法は、電子機器から送信されてくる、自分と電子機器からなるシステムにログインするためのユーザアカウントに関する情報に対応した要求の受信を制御する受信制御ステップと、要求を解析する解析ステップと、解析結果に基づいて、ユーザアカウントごとに、センサに関する設定の可否およびセンサから通知されるデータの閲覧の可否を設定する設定ステップとを含み、センサに関する設定は、管理メニューおよび／または端末タイトル、データ設定を含むことを特徴とする。
【００２３】
本発明の情報提供方法においては、電子機器から送信されてくる、自分と電子機器からなるシステムにログインするためのユーザアカウントに関する情報に対応した要求の受信が制御され、要求が解析され、解析結果に基づいて、ユーザアカウントごとに、センサに関する設定の可否およびセンサから通知されるデータの閲覧の可否が設定される。そして、センサに関する設定は、管理メニューおよび／または端末タイトル、データ設定を含む。
【００２４】
本発明のプログラムは、電子機器から送信されてくる、自分と電子機器からなるシステムにログインするためのユーザアカウントに関する情報に対応した要求の受信を制御する受信制御ステップと、要求を解析する解析ステップと、解析結果に基づいて、ユーザアカウントごとに、センサに関する設定の可否およびセンサから通知されるデータの閲覧の可否を設定する設定ステップとを含み、センサに関する設定は、管理メニューおよび／または端末タイトル、データ設定を含むことを特徴とする。
【００２５】
本発明のプログラムは、所定の記録媒体に記録されて、例えば、ドライブにより読み出され、情報提供装置または電子機器にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００２６】
本発明によれば、簡単に、より最適なユーザアカウントを発行することができる。
【図面の簡単な説明】
【００２７】
【図１】本発明を適用した遠隔監視通報システム（通信システム）の一実施の形態の構成を示すブロック図である。
【図２】監視通報装置（通報装置）の構成例を示すブロック図である。
【図３】遠隔監視通報サーバ（情報提供装置）の構成例を示すブロック図である。
【図４】遠隔監視通報サーバ（情報提供装置）により実行されるプログラムの構成の例（機能の構成の例）を示す図である。
【図５】クライアント端末装置（電子機器）により実行されるプログラムの構成の例（機能の構成の例）を示す図である。
【図６】ユーザアカウントの種別の例を示す図である。
【図７】ユーザの階層構造について説明する図である。
【図８】クライアント端末装置（電子機器）における、ユーザアカウントの設定の処理について説明するフローチャートである。
【図９】グループ追加の処理の詳細について説明するフローチャートである。
【図１０】グループ追加入力画面を表示させるクライアント端末装置（電子機器）の出力部の画面の例を示す図である。
【図１１】グループ設定の処理の詳細について説明するフローチャートである。
【図１２】グループ設定入力画面を表示させるクライアント端末装置（電子機器）の出力部の画面の例を示す図である。
【図１３】監視通報装置登録の処理の詳細について説明するフローチャートである。
【図１４】監視通報装置登録画面を表示させるクライアント端末装置（電子機器）の出力部の画面の例を示す図である。
【図１５】監視通報装置（通報装置）が設置された店舗の名称の一覧を表示させる監視通報装置登録画面の例を示す図である。
【図１６】監視通報装置（通報装置）に接続されたセンサが検知するデータの名称の一覧を表示させる監視通報装置登録画面の例を示す図である。
【図１７】遠隔監通報サーバ（情報提供装置）における、ユーザアカウントの設定の処理について説明するフローチャートである。
【図１８】ユーザアカウント管理テーブルの例を示す図である。
【発明を実施するための形態】
【００２８】
以下、図面を参照しながら本発明の実施の形態について説明する。
【００２９】
図１は、本発明を適用した遠隔監視通報システム１（通信システム）の一実施の形態の構成を示すブロック図である。
【００３０】
遠隔監視通報システム１は、本発明の通信システムの一例である。この遠隔監視通報システム１においては、通信網１２に、監視通報装置１１−１乃至１１−Ｎおよび遠隔監視通報サーバ１３が接続され、通信網１４に、遠隔監視通報サーバ１３およびクライアント端末装置１５−１乃至１５−Ｍが接続されている。
【００３１】
監視通報装置１１−１は、例えば、“コンビニＡ店”に設けられている電力計（電力メータ）４１−１（後述する図２）と接続するように設置され、所定の時間（例えば、30分間（後述するデマンド時限））が経過した場合、その電力計４１−１から取り込んだ電力情報（パルス）に基づいて、その時間ごとの使用電力の平均値（平均使用電力）であるデマンド値を遠隔監視通報サーバ１３宛に送信する。
【００３２】
ここで、デマンド値とは、電力会社との取引に使用される、30分間（デマンド時限）における平均使用電力値である。一般的に、電力会社に支払う電気料金は、使用した電力量に応じて課金される電力量料金と、デマンド値によって更新される契約電力に応じて決定される基本料金とを加算した金額となる。すなわち、一度決定した契約電力を超えて電気を使用すると、契約超過金の支払いが必要になったり、契約料金のアップにつながることになるので、デマンド値を抑制することで、電気料金を軽減することになる。
【００３３】
また、監視通報装置１１−１には、例えば、サーミスタなどの後述する温度センサ４１−２も接続され、所定の時間（例えば、１分）が経過した場合、監視通報装置１１−１は、その時刻における温度センサ４１−２が測定した温度を示す値（温度値）を遠隔監視通報サーバ１３宛に送信する。さらに、監視通報装置１１−１には、例えば、漏電監視用の機器やセンサなどの後述する漏電センサ４１−３も接続され、所定の時間（例えば、１分）が経過した場合、監視通報装置１１−１は、その時刻における漏電センサ４１−３が検知した漏洩電流を示す値（漏洩電流値）を遠隔監視通報サーバ１３宛に送信する。
【００３４】
さらに、監視通報装置１１−１は、自分自身の内部の温度を測定し、所定の時間（例えば、１分）が経過した場合、監視通報装置１１−１は、その時刻における自分自身の内部の温度を示す値（内部温度値）を遠隔監視通報サーバ１３宛に送信する。
【００３５】
監視通報装置１１−２は、例えば、“コンビニＢ店”に設けられている電力計４１−１と接続するように設置され、監視通報装置１１−１と同様に、所定の時間（例えば、30分間（デマンド時限））が経過した場合、その電力計４１−１から取り込んだ電力情報（パルス）に基づいて、デマンド値を遠隔監視通報サーバ１３宛に送信する。
【００３６】
また、監視通報装置１１−２には、監視通報装置１１−１と同様に、温度センサ４１−２および漏電センサ４１−３も接続され、所定の時間（例えば、１分）が経過した場合、監視通報装置１１−２は、その時刻における温度センサ４１−２が測定した温度値を遠隔監視通報サーバ１３宛に送信するとともに、漏電センサ４１−３が検知した漏洩電流値を遠隔監視通報サーバ１３宛に送信する。
【００３７】
さらに、監視通報装置１１−２は、監視通報装置１１−１と同様に、自分自身の内部の温度を測定し、所定の時間（例えば、１分）が経過した場合、監視通報装置１１−２は、その時刻における自分自身の内部の温度を示す値（内部温度値）を遠隔監視通報サーバ１３宛に送信する。
【００３８】
監視通報装置１１−３（図示せず）乃至１１−Ｎのそれぞれは、例えば、店舗、工場、または一般家庭などに設けられている電力会社の電力計４１−１と接続するように設置され（監視通報装置１１−Ｎは、例えば、“デパートＺ店”に設けられている電力計４１−１と接続するように設置され）、所定の時間（例えば、30分間（デマンド時限））が経過した場合、その電力計４１−１から取り込んだ電力情報（パルス）に基づいて、デマンド値を遠隔監視通報サーバ１３宛に送信する。
【００３９】
また、監視通報装置１１−３（図示せず）乃至１１−Ｎのそれぞれには、監視通報装置１１−１と同様に、温度センサ４１−２および漏電センサ４１−３も接続され、所定の時間（例えば、１分）が経過した場合、監視通報装置１１−３（図示せず）乃至１１−Ｎのそれぞれは、その時刻における温度センサ４１−２が測定した温度値を遠隔監視通報サーバ１３宛に送信するとともに、漏電センサ４１−３が検知した漏洩電流値を遠隔監視通報サーバ１３宛に送信する。
【００４０】
監視通報装置１１−１乃至１１−Ｎのそれぞれは、通信網１２を介して、遠隔監視通報サーバ１３から送信されてくる、自分自身の設定に関する情報である監視通報設定情報を受信し、受信した監視通報設定情報を設定する。
【００４１】
ここで、監視通報設定情報とは、ユーザにより、監視通報装置１１−１乃至１１−Ｎのそれぞれに設定される、それぞれの装置で監視している情報を通報（通知）する間隔などの設定に関する情報である。具体的には、例えば、デマンド値を遠隔監視通報サーバ１３に通報する間隔である“30分”が、監視通報設定情報として、ユーザにより設定される。
【００４２】
通信網１２は、例えば、Dopa（ドゥーパ）通信回線（商標）で構成され、監視通報装置１１−１乃至１１−Ｎのいずれかと、遠隔監視通報サーバ１３とを相互に通信させる。
【００４３】
例えば、通信網１２は、監視通報装置１１−１乃至１１−Ｎのいずれかから供給されてくる、デマンド値、温度値、漏洩電流値、または内部温度値のいずれかを遠隔監視通報サーバ１３に伝送する。また、通信網１２は、遠隔監視通報サーバ１３から供給されてくる監視通報設定情報を、監視通報装置１１−１乃至１１−Ｎのいずれかに伝送する。
【００４４】
なお、通信網１２は、Dopa通信回線に限定されず、例えば、IEEE（The Institute of Electrical and Electronic Engineers , Inc.）802.11規格に準拠した無線LANによる無線の通信、FDDI（Fiber Distributed Data Interface）などの光ファイバ網、衛星通信網、イーサーネット（商標）、LAN（Local Area Network）、またはインターネットなどの各種の専用または公衆回線網を利用して構成するようにしてもよい。
【００４５】
遠隔監視通報サーバ１３は、例えば、ウェブサーバ（Webサーバ）およびデータベースサーバなどの専用のサーバであり、本発明の情報提供装置の一例である。
【００４６】
遠隔監視通報サーバ１３は、例えば、遠隔監視通報システム１による所定のサービスを提供する事業者の“データセンタ”に設置され、通信網１２を介して、監視通報装置１１−１乃至１１−Ｎのいずれかから送信されてくるデマンド値、温度値、漏洩電流値、または内部温度値を受信し、それぞれを蓄積する。
【００４７】
また、遠隔監視通報サーバ１３は、クライアント端末装置１５−１乃至１５−Ｍのいずれかの要求に応じて、蓄積されたデマンド値、温度値、漏洩電流値、または内部温度値のいずれかに所定の処理を施して、処理を施すことで得られた情報を、通信網１４を介して、クライアント端末装置１５−１乃至１５−Ｍのいずれかに送信する。
【００４８】
さらに、遠隔監視通報サーバ１３は、インターネット１２を介して、クライアント端末装置１５−１乃至１５−Ｍのいずれかから送信されてくる監視通報設定情報を、通信網１２を介して、監視通報装置１１−１乃至１１−Ｎのいずれかに送信する。
【００４９】
通信網１４は、例えば、インターネットであり、TCP/IP（Transmission Control Protocol/Internet Protocol）などの所定のプロトコルに従って、遠隔監視通報サーバ１３およびクライアント端末装置１５−１乃至１５−Ｍのそれぞれを相互に通信させる。
【００５０】
クライアント端末装置１５−１乃至１５−Ｍは、例えば、PC（Personal Computer）、携帯電話機、またはPDA（Personal Digital Assistance）などの通信網１４に接続可能な機器であり、本発明の電子機器の一例である。
【００５１】
クライアント端末装置１５−１乃至１５−Ｍのそれぞれは、通信網１４を介して、通信網１４に接続された遠隔監視通報サーバ１３に様々なデータを送信するか、または遠隔監視通報サーバ１３から送信されてくる様々なデータを受信する。
【００５２】
例えば、クライアント端末装置１５−１乃至１５−Ｍのそれぞれは、遠隔監視通報サーバ１３に蓄積されている、デマンド値、温度値、漏洩電流値、または内部温度値に関する情報を取得するための要求を、通信網１４を介して、遠隔監視通報サーバ１３宛に送信した場合、その要求に応じて、通信網１４を介して、遠隔監視通報サーバ１３から送信されてくる、所定の処理が施されたデマンド値、温度値、漏洩電流値、または内部温度値に関する情報を受信する。
【００５３】
また、例えば、クライアント端末装置１５−１乃至１５−Ｍのそれぞれは、通信網１４を介して、監視通報設定情報を遠隔監視通報サーバ１３宛に送信する。
【００５４】
なお、図１で示される遠隔監視通報システム１の例においては、遠隔監視通報サーバ１３が、１台設けられているが、機能ごとに複数のサーバを設けるようにしてもよい。また、通信網１２と通信網１４とは、同一のものでもよい。
【００５５】
以下、監視通報装置１１−１乃至１１−Ｎを個々に区別する必要がない場合、単に監視通報装置１１と称する。また、クライアント端末装置１５−１乃至１５−Ｍを個々に区別する必要がない場合、単にクライアント端末装置１５と称する。
【００５６】
図２は、監視通報装置１１（通報装置）の構成例を示すブロック図である。
【００５７】
監視通報装置１１は、入力インターフェイス３１−１乃至３１−Ｊ、入力部３２、制御部３３、記憶部３４、通信部３５、および内部温度測定部３６を含むように構成される。
【００５８】
入力インターフェイス３１−１乃至３１−Ｊは、いわゆる接続インターフェイスであり、様々な機器やセンサなどから入力されてくる信号を入力部３２に供給する。
【００５９】
入力インターフェイス３１−１には、例えば、店舗、工場、または一般家庭などに設けられている電力会社の電力計４１−１が接続され、入力インターフェイス３１−１は、電力計４１−１から取り込んだデマンド値を示す信号を入力部３２に供給する。入力インターフェイス３１−２には、例えば、サーミスタなどの温度センサ４１−２が接続され、入力インターフェイス３１−２は、温度センサ４１−２が測定した温度値を示す信号を入力部３２に供給する。入力インターフェイス３１−３には、例えば、漏電監視用の機器やセンサなどの漏電センサ４１−３が接続され、入力インターフェイス３１−３は、漏電センサ４１−３が検知した漏洩電流値を示す信号を入力部３２に供給する。
【００６０】
入力インターフェイス３１−４（図示せず）乃至３１−Ｊのそれぞれには、例えば、ガス漏れ、ドアの開閉、不法侵入者、または液面のレベルなどを検知する、センサ４１−４（図示せず）乃至４１−Ｊのそれぞれが接続され、入力インターフェイス３１−４（図示せず）乃至３１−Ｊのそれぞれは、それらのセンサが検知した信号を入力部３２に供給する。
【００６１】
なお、入力インターフェイス３１−４（図示せず）乃至３１−Ｊのそれぞれには、電力計４１−１、温度センサ４１−２、および漏電センサ４１−３が測定している場所とは異なる場所にある、電力計、温度センサ、または漏電センサなどを接続することもできる。
【００６２】
入力部３２は、入力インターフェイス３１−１乃至３１−Ｊのいずれかから、センサの検知した信号が供給されてきた場合、その信号を制御部３３に供給する。例えば、入力部３２は、入力インターフェイス３１−１乃至３１−３のいずれかから、デマンド値、温度値、または漏洩電流値を示す信号のいずれかが供給されてきた場合、それらを制御部３３に供給する。
【００６３】
制御部３３は、入力部３２から信号が供給されてきた場合、記憶部３４に記憶されている監視通報設定情報を基に、その信号を遠隔監視通報サーバ１３に通知するか否かを判定する。制御部３３は、信号を通知すると判定した場合、通信部３５を制御して、通信網１２に接続させ、遠隔監視通報サーバ１３に、その信号を通知するパケットを遠隔監視通報サーバ１３宛に送信させる。
【００６４】
例えば、制御部３３は、入力部３２からデマンド値を示す信号が供給されてきた場合、記憶部３４に記憶されている監視通報設定情報を基に、前回デマント値を通知してから30分を経過したか否かを判定し、30分経過したと判定された場合、通信部３５を制御して、通信網１２に接続させ、デマンド値を通知するパケットを遠隔監視通報サーバ１３宛に送信させる。
【００６５】
また、例えば、制御部３３は、デマンド値の場合と同様に、入力部３２から温度値または漏洩電流値を示す信号のいずれかが供給されてきた場合、記憶部３４に記憶されている監視通報設定情報を基に、前回通知してから１分を経過したか否かを判定し、１分経過したと判定された場合、通信部３５を制御して、通信網１２に接続させ、温度値または漏洩電流値のいずれかを通知するパケットを遠隔監視通報サーバ１３宛に送信させる。
【００６６】
なお、例えば、監視通報設定情報として、予め、デマンド値の閾値を設定しておくことで、制御部３３は、入力部３２からデマンド値が供給されてきた場合、記憶部３４に記憶されている監視通報設定情報を基に、供給されたデマント値が、所定の時間（例えば、15分）を経過した後に、予め設定されている閾値を超えるか否かを判定し（予想し）、所定の時間が経過した後に、予め設定されているデマンド値を超えると判定した場合、通信部３５を制御して、通信網１２に接続させ、デマンド値が閾値を超えることを示す警報を通知するパケットを遠隔監視通報サーバ１３宛に送信させるようにしてもよい。
【００６７】
また、制御部３３は、通信網１２を介して、遠隔監視通報サーバ１３から送信されてくる監視通報設定情報を、記憶部３４に記憶させて設定する。例えば、制御部３３は、通信網１２を介して、監視通報設定情報として、遠隔監視通報サーバ１３から送信されてくるデマンド値を遠隔監視通報サーバ１３に通報する間隔である“30分”を、記憶部３４に記憶させて設定する。
【００６８】
さらに、制御部３３は、内部温度測定部３５から供給されてくる監視通報装置１１の内部温度値を、例えば、所定の時間が経過した場合、通信部３５を制御して、通信網１２に接続させ、その内部温度値を通知するパケットを遠隔監視通報サーバ１３宛に送信させる。
【００６９】
以下、電力計４１−１、温度センサ４１−２、漏電センサ４１−３、およびセンサ４１−４乃至４１−Ｎを個々に区別する必要がない場合、センサ４１と称する。
【００７０】
図３は、遠隔監視通報サーバ１３（情報提供装置）の構成例を示すブロック図である。
【００７１】
CPU５１は、ROM５２に記憶されているプログラム、または、記録部５８に記録されているプログラムに従って各種の処理を実行する。RAM５３には、CPU５１が実行するプログラムやデータなどが適宜記憶される。これらのCPU５１、ROM５２、およびRAM５３は、バス５４を介して相互に接続されている。
【００７２】
CPU５１にはまた、バス５４を介して入出力インターフェイス５５が接続されている。入出力インターフェイス５５には、キーボード、マウスなどよりなる入力部５６、ディスプレイなどよりなる出力部５７が接続されている。CPU５１は、入力部５６から入力される指令に対応して各種の処理を実行する。そして、CPU５１は、処理の結果得られた画像や音声などを出力部５７に出力する。
【００７３】
入出力インターフェイス５５に接続されている記録部５８は、例えば、ハードディスクなどで構成され、CPU５１が実行するプログラムや各種のデータを記録する。通信部５９は、通信網１２、通信網１４、インターネット、その他のネットワーク、または通信媒体を介して外部の装置と通信する。
【００７４】
また、通信部５９を介してプログラムを取得し、記録部５８に記録してもよい。
【００７５】
入出力インターフェイス５５に接続されているドライブ６０は、磁気ディスク７１、光ディスク７２、光磁気ディスク７３、または半導体メモリ７４などが装着されたとき、それらを駆動し、そこに記録されているプログラムやデータなどを取得する。取得されたプログラムやデータは、必要に応じて記録部５８に転送され、記録される。
【００７６】
なお、クライアント端末装置１５は、遠隔監視通報サーバ１３と同様に構成されるので、その記載および説明は省略する。また、遠隔監視通報サーバ１３およびクライアント端末装置１５は、図３に示した内部構造に限らず、必要に応じて、機能を追加したり削除したりすることは可能であり、その機能に対応した構成を持つことが可能である。
【００７７】
図４は、遠隔監視通報サーバ１３（情報提供装置）により実行されるプログラムの構成の例（機能の構成の例）を示す図である。
【００７８】
OS（Operating System）１０１は、例えば、ファイルの管理、メモリの管理、入出力の管理、またはユーザインターフェイスの提供などの処理を行う基本プログラムである。例えば、OS１０１は、ウェブサーバプログラム１０２や監視通報プログラム１０３などの他のプログラムの要求に応じて、各種の機能を提供する。
【００７９】
ウェブサーバプログラム１０２は、通信網１４を介して、ウェブページを閲覧させるためのデータを相手に提供するプログラムである。例えば、ウェブサーバプログラム１０２は、後述するクライアント端末装置１５のウェブブラウザプログラム１５２（図５）からの、HTTP（HyperText Transfer Protocol）プロトコルなどの所定のプロトコルに従ったコマンド（リクエスト）に応じて、通信網１４など介して、遠隔監視通報サーバ１３の記録部５８に記録されているウェブページ（例えば、HTML（HyperText Markup Language）若しくはCHTML（Compact HTML）などで記述された文書、または画像データなど）（レスポンス）を送信する。
【００８０】
ウェブサーバプログラム１０２は、コマンド解析部１１１、ユーザ設定部１１２、送信部１１３、および受信部１１４を含むように構成される。
【００８１】
コマンド解析部１１１は、受信部１１４から供給されてくるコマンドを解析し、解析した結果を基に、所定の処理を実行させる。
【００８２】
例えば、コマンド解析部１１１は、受信部１１４から供給されてくるコマンドを解析し、解析した結果を基に、コマンドに付加されたパラメータをユーザ設定部１１２に供給することで、遠隔監視通報システム１を使用する契約をしたユーザのユーザアカウントに関する所定の処理を実行させる。また、例えば、コマンド解析部１１１は、受信部１１４から供給されてくるコマンド（リクエスト）に従って処理を実行し、送信部１１３に、通信網１４を介して、実行した処理の結果であるウェブページ（レスポンス）をクライアント端末装置１５宛に送信させる。
【００８３】
ユーザ設定部１１２は、コマンド解析部１１１によるコマンドの解析結果に従って、コマンド解析部１１１からコマンドに付加されたパラメータが供給されてきた場合、遠隔監視通報システム１を使用する契約をしたユーザのユーザアカウントに関する所定の処理を実行する。
【００８４】
ユーザ設定部１１２は、ユーザアカウント発行部１２１、権限設定部１２２、および監視通報装置設定部１２３を含むように構成される。
【００８５】
ユーザアカウント発行部１２１は、コマンド解析部１１１によるコマンドの解析結果に従って、コマンド解析部１１１からコマンドに付加されたパラメータが供給されてきた場合、ユーザアカウント発行の処理を行う。例えば、ユーザアカウント発行部１２１は、コマンド解析部１１１から供給されてくる、コマンドに付加された、“グループ名”、“ユーザID”、および“パスワード”を示すパラメータの値を、ユーザアカウント管理テーブルに格納させることで、ユーザアカウントを発行する。
【００８６】
ここで、詳細は後述するが、ユーザアカウント管理テーブルとは、遠隔監視通報システム１におけるユーザアカウントを管理するテーブルである。遠隔監視通報システム１を使用する契約をしたユーザは、このユーザアカウント管理テーブルに格納されている、ユーザIDとパスワードとを使用して、遠隔監視通報システム１にログインすることになる。
【００８７】
権限設定部１２２は、コマンド解析部１１１によるコマンドの解析結果に従って、コマンド解析部１１１からコマンドに付加されたパラメータが供給されてきた場合、権限設定の処理を行う。例えば、権限設定部１２２は、コマンド解析部１１１から供給されてくる、コマンドに付加された、“ユーザアカウントの発行”である権限を示すパラメータの値を、ユーザアカウント管理テーブルに格納させることで、対象となるユーザアカウントにおける、“ユーザアカウントの発行”する権限の可否を設定する。
【００８８】
監視通報装置設定部１２３は、コマンド解析部１１１によるコマンドの解析結果に従って、コマンド解析部１１１からコマンドに付加されたパラメータが供給されてきた場合、監視通報装置設定の処理を行う。例えば、監視通報装置設定部１２３は、コマンド解析部１１１から供給されてくる、コマンドに付加された、“登録端末”である店舗、工場、または一般家庭に設置されている監視通報装置１１（または、監視通報装置１１に接続されたセンサ４１）を示すパラメータの値を、ユーザアカウント管理テーブルに格納させることで、対象となるユーザアカウントで設定や閲覧が可能となる監視通報装置１１を設定する。
【００８９】
送信部１１３は、遠隔監視通報サーバ１３の通信部５９において行われるデータ（コマンド）の送信を制御する。例えば、送信部１１３は、クライアント端末装置１５から送信されてくるコマンド（リクエスト）に応じたコマンド解析部１１１の要求を基に、通信部５９に、通信網１４を介して、所定のウェブページをクライアント端末装置１５宛てに送信させる。
【００９０】
受信部１１４は、遠隔監視通報サーバ１３の通信部５９において行われるデータ（コマンド）の受信を制御する。例えば、受信部１１４は、通信部５９に、通信網１４を介して、クライアント端末装置１５から送信されてきたデータ（コマンド）を受信させる。
【００９１】
監視通報プログラム１０３は、監視通報装置１１との連携を行うための処理を行うプログラムである。例えば、監視通報プログラム１０３は、遠隔監視通報サーバ１３の通信部５９を制御して、通信網１２を介して、監視通報設定情報を監視通報装置１１宛に送信させたり、監視通報装置１１から送信されてくるデマンド値、温度値、漏洩電流値、または内部温度値を受信させたりする。
【００９２】
図５は、クライアント端末装置１５（電子機器）により実行されるプログラムの構成の例（機能の構成の例）を示す図である。
【００９３】
OS１５１は、例えば、ファイルの管理、メモリの管理、入出力の管理、またはユーザインターフェイスの提供などの処理を行う。例えば、OS１５１は、ウェブブラウザプログラム１５２などの他のプログラムの要求に応じて、各種の機能を提供する。
【００９４】
ウェブブラウザプログラム１５２は、通信網１４に接続された遠隔監視通報サーバ１３またはウェブサーバ（図示せず）などが公開しているウェブページを閲覧するためのアプリケーションプログラムである。より具体的には、ウェブブラウザプログラム１５２は、例えば、ウェブサーバとしての遠隔監視通報サーバ１３から、所定のプロトコルに従って、ウェブページに含まれるHTMLまたはCHTMLなどで記述された情報を取得して、取得した情報の記述に基づく文または画像を、LCD（Liquid Crystal Display）やCRT（Cathode Ray Tube）ディスプレイなどからなるクライアント端末装置１５の出力部５７の画面に表示させる。
【００９５】
ウェブブラウザプログラム１５２は、表示制御部１６１、入力制御部１６２、コマンド生成部１６３、送信部１６４、および受信部１６５を含むように構成される。
【００９６】
表示制御部１６１は、受信部１６５がクライアント端末装置１５の通信部５９に受信させた、ウェブページに含まれる所定の方式（例えば、HTML）で記述された情報を取得して、取得した情報の記述に基づく文または画像を、クライアント端末装置１５の出力部５７の画面に表示させる。例えば、表示制御部１６１は、受信部１６５が通信部５９に受信させた、遠隔監視通報サーバ１３が提供する、ユーザアカウントを登録する画面のウェブページを取得して、取得したウェブページの記述に基づく文または画像を、LCDやCRTディスプレイなどからなる出力部５７の画面に表示させる。
【００９７】
入力制御部１６２は、ユーザによる所定の操作を受け付け、受け付けた操作に対応する情報をコマンド生成部１６３に供給する。例えば、入力制御部１６２は、ユーザによって、クライアント端末装置１５の出力部５７の画面に表示に表示されている、ユーザアカウントを登録する画面にデータが入力され、入力されたデータを決定させる操作がなされた場合、その入力されたデータを示す情報をコマンド生成部１６３に供給する
【００９８】
コマンド生成部１６３は、ユーザの操作に応じて、所定のコマンドを生成し、生成したコマンドを送信部１６４に供給する。例えば、コマンド生成部１６３は、ユーザの操作に応じて、入力制御部１６２から供給されてくる情報を基に、遠隔監視通報サーバ１３に対する所定のコマンドを生成し、生成したコマンドを送信部１６４に供給する。
【００９９】
送信部１６４は、クライアント端末装置１５の通信部５９において行われるデータ（コマンド）の送信を制御する。例えば、送信部１６４は、コマンド生成部１６３において生成されたコマンドが、コマンド生成部１６３から供給されてきたとき、通信網１４を介して、通信部５９に、そのコマンドを遠隔監視通報サーバ１３宛に送信させる。
【０１００】
受信部１６５は、クライアント端末装置１５の通信部５９において行われるデータ（コマンド）の受信を制御する。例えば、受信部１６５は、通信部５９に、通信網１４を介して、遠隔監視通報サーバ１３から送信されてきたデータ（コマンド）を受信させる。
【０１０１】
ところで、一般的に、あるシステムを提供する場合、不正なユーザにシステムを使用させないようにするために、正当なユーザに対して、ユーザアカウントを発行し、ユーザアカウントを発行されたユーザ以外は、システムを使用できないようにしている。遠隔監視通報システム１においても、遠隔監視通報システム１を使用する契約したユーザに対して、ユーザアカウントを発行することで、ユーザアカウントを発行されたユーザ（遠隔監視通報システム１を使用する契約をしているユーザ）以外は、遠隔監視通報システム１にログインできないようにしている。
【０１０２】
以下、図６および図７を参照して、遠隔監視通報システム１にログインするためのユーザアカウントの概要について説明し、その後、図８乃至図１８を参照して、遠隔監視通報システム１にログインするためのユーザアカウントを設定する処理について説明する。まず、図６を参照して、ユーザアカウントの種別について説明する。
【０１０３】
図６は、遠隔監視通報システム１（通信システム）におけるユーザアカウントの種別の例を示す図である。
【０１０４】
図６で示される例において、１行目は項目を示し、２行目は“１”であるユーザレベルにおける権限の内容を示し、３行目は“２”であるユーザレベルにおける権限の内容を示し、４行目は“３”であるユーザレベルにおける権限の内容を示し、５行目は“４”であるユーザレベルにおける権限の内容を示す。
【０１０５】
また、１行目の項目には、１列目に“ユーザレベル”である項目、２列目に“名称”である項目、３列目に“権限”である項目が示されている。具体的には、１列目の“ユーザレベル”である項目は、ユーザアカウントに付与される権限のレベルを数字で示しており、数字が小さいほど、より強い権限を持っていることを示す。また、２列目の“名称”である項目は、“ユーザレベル”に対応して、その“ユーザレベル”の具体的な名称を示し、３列目の“権限”である項目は、“ユーザレベル”に対応して、その“ユーザレベル”に付与される権限の具体的な内容を示す。
【０１０６】
図６で示される例において、左から１列目で上から２個目の“１”であるユーザレベルは、ユーザレベルが“１”であることを示す。また、左から２列目で上から２個目の“システム管理者”である名称は、名称が“システム管理者”であることを示す。さらに、左から３列目で上から２個目の“システム管理者権限を持つ。”、“全ての端末の設定および閲覧ができる。”、および“端末管理者に対してユーザIDおよびパスワードを発行することができる。”である権限は、権限が“システム管理者権限を持つ。”、“全ての端末の設定および閲覧ができる。”、および“端末管理者に対してユーザIDおよびパスワードを発行することができる。”であるので、“システム管理者”である権限のユーザアカウントでログインしたユーザ（以下、“システム管理者”のユーザと称する）は、これらの処理を実行させることができる。
【０１０７】
すなわち、“１”であるユーザレベルの“システム管理者”は、遠隔監視通報システム１の全ての機能を実行することができる権限である。従って、この“システム管理者”である権限のユーザアカウントは、遠隔監視通報システム１と契約しているユーザではなく、遠隔監視通報システム１を提供する側の事業者の管理者によって使用され、契約をしたユーザに対して、ユーザアカウントを発行させることができる。
【０１０８】
また、図６で示される例において、左から１列目で上から３個目の“２”であるユーザレベルは、ユーザレベルが“２”であることを示す。また、左から２列目で上から３個目の“端末管理者”である名称は、名称が“端末管理者”であることを示す。さらに、左から３列目で上から３個目の“購入した全端末を自由にグルーピングできる。”、“購入した全端末の設定および閲覧ができる。”、および“グルーピングしたグループにユーザIDおよびパスワードの発行ができる。”である権限は、権限が“購入した全端末を自由にグルーピング（グループ分け）できる。”、“購入した全端末の設定および閲覧ができる。”、および“グルーピングしたグループにユーザIDおよびパスワードの発行ができる。”であるので、“端末管理者”である権限のユーザアカウントでログインしたユーザ（以下、“端末管理者”のユーザと称する）は、これらの処理を実行させることができる。
【０１０９】
すなわち、“２”であるユーザレベルの“端末管理者”は、自分が管理している端末（監視通報装置１１）であれば、全ての機能を実行することができる。この“端末管理者”である権限のユーザアカウントは、契約をしたユーザに対して発行される。例えば、“端末管理者”である権限のユーザアカウントは、契約したユーザが企業（例えば、設備管理会社）である場合に、その企業内の組織として、本社、支店、および営業所があるとき、本社、支店、および営業所のうち、本社の社員によって使用され、その企業で購入した端末（監視通報装置１１）に対して、グルーピングなどの様々な設定をしたり、支店および営業所の社員に対して、ユーザアカウントを発行することができる。
【０１１０】
換言すれば、“端末管理者”のユーザは、“グループ管理者”である権限のユーザアカウントを発行し、その発行したユーザアカウントでログインしたユーザが設定や閲覧をすることができる監視通報装置１１をグルーピングすることができるとも言える。
【０１１１】
また、図６で示される例において、左から１列目で上から４個目の“３”であるユーザレベルは、ユーザレベルが“３”であることを示す。また、左から２列目で上から４個目の“グループ管理者”である名称は、名称が“グループ管理者”であることを示す。さらに、左から３列目で上から４個目の“端末管理者がグルーピングしたグループの管理ができる。”、“管理対象の端末をサブグループ化し、ユーザIDおよびパスワードの発行をすることができる。”、および“各サブグループに権限の付与ができる。”である権限は、権限が“端末管理者がグルーピングしたグループの管理ができる。”、“管理対象の端末をサブグループ化し、ユーザIDおよびパスワードの発行をすることができる。”であるので、“グループ管理者”である権限のユーザアカウントでログインしたユーザ（“グループ管理者”のユーザと称する）は、これらの処理を実行させることができる。
【０１１２】
すなわち、“３”であるユーザレベルの“グループ管理者”は、直近の上位の権限である“端末管理者”のユーザによって、グルーピングされたグループ内の端末（監視通報装置１１）であれば、全ての機能を実行することができる。例えば、“グループ管理者”である権限のユーザアカウントは、上述した、本社、支店、および営業所のうち、支店の社員によって使用され、その企業で購入した端末（監視通報装置１１）のうち、本社の社員（“端末管理者”のユーザ）によって、グルーピングされたグループ内の端末（監視通報装置１１）に対して、グルーピングなどの様々な設定をしたり、営業所の社員に対して、ユーザアカウントを発行することができる。
【０１１３】
換言すれば、“グループ管理者”のユーザは、“一般ユーザ”である権限のユーザアカウントを発行し、その発行したユーザアカウントでログインしたユーザが設定や閲覧をすることができる監視通報装置１１をグルーピングすることができるとも言える。
【０１１４】
また、図６で示される例において、左から１列目で上から４個目の“４”であるユーザレベルは、ユーザレベルが“４”であることを示す。また、左から２列目で上から５個目の“一般ユーザ”である名称は、名称が“一般ユーザ”であることを示す。さらに、左から３列目で上から５個目の“グループ管理者から指定されたサブグループに属する端末に対して、許可された機能のみを利用できる。”である権限は、権限が“グループ管理者から指定されたサブグループに属する端末に対して、許可された機能のみを利用できる。”であるので、“一般ユーザ”である権限のユーザアカウントでログインしたユーザ（“一般ユーザ”のユーザと称する）は、これらの処理を実行させることができる。
【０１１５】
すなわち、“４”であるユーザレベルの“一般ユーザ”は、直近の上位の権限である“グループ管理者”のユーザによって、グルーピングされたグループ内の端末（監視通報装置１１）であれば、全ての機能を実行することができる。例えば、“一般ユーザ”である権限のユーザアカウントは、上述した、本社、支店、および営業所のうち、営業所の社員（担当者）によって使用され、その企業で購入した端末（監視通報装置１１）のうち、支店の社員（“グループ管理者”のユーザ）によって、グルーピングされたグループ内の端末（監視通報装置１１）に対して、許可された機能のみを使用することができる。
【０１１６】
このように、遠隔監視通報システム１においては、権限によって複数の種別のユーザアカウントが存在し、上位の権限のユーザアカウントでログインしたユーザは、自分自身よりも下位の権限のユーザアカウントを発行することができる。換言すれば、ユーザアカウントは、階層構造になっているとも言える。
【０１１７】
次に、図７を参照して、遠隔監視通報システム１（通信システム）におけるユーザアカウントの階層構造について説明する。
【０１１８】
図７で示される例において、図中上側の“システム管理者”の下位の階層として、２つの“端末管理者”が示されている。これは、遠隔監視通報システム１を提供する側の事業者の管理者（“システム管理者”のユーザ）によって、遠隔監視通報システム１を使用する契約した２人のユーザのそれぞれに対して、２つの“端末管理者”である権限のユーザアカウントがそれぞれ発行されたことを示す。例えば、遠隔監視通報システム１を提供する事業者の管理者は、２つの会社（Ａ社およびＢ社）が遠隔監視通報システム１を使用する契約している場合、Ａ社の本社の社員（本社社員Ａ）およびＢ社の本社の社員（本社社員Ｂ）のそれぞれに対して、“端末管理者”である権限のユーザアカウントを発行する。
【０１１９】
“システム管理者”の下位の階層である、２つの“端末管理者”のうち、左側の“端末管理者”の下位の階層として、２つの“グループ管理者”が示されている。これは、左側の“端末管理者”のユーザによって、２つの“グループ管理者”である権限のユーザアカウントが発行されたことを示す。例えば、Ａ社の本社社員Ａは、２人の支店の社員（支店社員Ｃおよび支店社員Ｄ）に対して、それぞれ、“グループ管理者”である権限のユーザアカウントを発行する。
【０１２０】
左側の“端末管理者”の下位の階層である、２つの“グループ管理者”のうち、左側の下位の階層として、３つの“一般ユーザ”が示されている。これは、“グループ管理者”のユーザによって、３つの“一般ユーザ”である権限のユーザアカウントが発行されたことを示す。例えば、支店社員Ｃは、３人の営業所の社員（担当者Ｅ、担当者Ｆ、および担当者Ｇ）に対して、それぞれ、“一般ユーザ”である権限のユーザアカウントを発行する。
【０１２１】
また、左側の“端末管理者”の下位の階層である、２つの“グループ管理者”のうち、右側の下位の階層として、２つの“一般ユーザ”が示されている。これは、“グループ管理者”のユーザによって、２つの“一般ユーザ”である権限のユーザアカウントが発行されたことを示す。例えば、支店社員Ｄは、２人の営業所の社員（担当者Ｈ、および担当者Ｉ）に対して、それぞれ、“一般ユーザ”である権限のユーザアカウントを発行する。
【０１２２】
このように、遠隔監視通報システム１においては、権限によって複数の種別のユーザアカウントが存在し、例えば、本社の社員に対して、“端末管理者”である権限を付与し、支店の社員に対して、“グループ管理者”である権限を付与し、担当者に対して、“一般ユーザ”である権限を付与することができる。すなわち、企業内の組織とユーザアカウントの権限とが、相互にリンクして階層構造となっている。
【０１２３】
次に、図８乃至図１８を参照して、図６および図７により説明した、ユーザアカウントについて、より詳細な説明をする。図８乃至図１８においては、ユーザアカウントを登録する処理の一例として、“端末管理者”のユーザが、その下位のユーザである“グループ管理者”である権限のユーザアカウントを発行する処理について説明する。すなわち、図８乃至図１８を参照して説明する処理は、例えば、本社の社員によって行われる、支店（または営業所）の社員に対して、ユーザアカウントを発行し、そのユーザアカウントに対して、その企業で購入した端末（監視通報装置１１または監視通報装置１１に接続されたセンサ４１など）をグルーピングして設定する作業となる。
【０１２４】
なお、はじめに、図８乃至図１６を参照して、クライアント端末装置１１の行う処理を説明し、その後、図１７および図１８を参照して、遠隔監視通報サーバ１３の行う処理について説明する。
【０１２５】
まず、図８のフローチャートを参照して、クライアント端末装置１１（電子機器）における、ユーザアカウントの設定の処理について説明する。
【０１２６】
ステップＳ１１において、ウェブブラウザプログラム１５２は、グループ追加の処理を実行する。例えば、ステップＳ１１において、ウェブブラウザプログラム１５２は、“端末管理者”のユーザの操作によって、“グループ管理者”である権限のユーザアカウントを発行するコマンドを、通信網１４を介して、遠隔監視通報サーバ１３宛に送信させる。
【０１２７】
すなわち、ウェブブラウザプログラム１５２は、グループ追加の処理を実行することで、遠隔監視通報サーバ１３に対して、ユーザアカウントの発行を要求することになる。グループ追加の処理の詳細は後述する。
【０１２８】
ステップＳ１２において、ウェブブラウザプログラム１５２は、グループ設定の処理を実行する。例えば、ステップＳ１２において、ウェブブラウザプログラム１５２は、“端末管理者”のユーザの操作によって、“グループ管理者”である権限のユーザアカウントで使用できる権限の設定に関するコマンドを、通信網１４を介して、遠隔監視通報サーバ１３宛に送信させる。
【０１２９】
すなわち、ウェブブラウザプログラム１５２は、グループ設定の処理を実行することで、遠隔監視通報サーバ１３に対して、発行されているユーザアカウントの権限の設定を要求することになる。グループ設定の処理の詳細は後述する。
【０１３０】
ステップＳ１３において、ウェブブラウザプログラム１５２は、監視通報装置登録の処理を実行する。例えば、ステップＳ１３において、ウェブブラウザプログラム１５２は、“端末管理者”のユーザの操作によって、“グループ管理者”である権限のユーザアカウントで閲覧や設定が可能となる監視通報装置１１（監視通報装置１１に接続されたセンサ４１）の設定に関するコマンドを、通信網１４を介して、遠隔監視通報サーバ１３宛に送信させる。
【０１３１】
すなわち、ウェブブラウザプログラム１５２は、監視通報装置登録の処理を実行することで、遠隔監視通報サーバ１３に対して、発行されているユーザアカウントで閲覧や設定が可能となる監視通報装置１１（監視通報装置１１に接続されたセンサ４１）のグルーピングの設定を要求することになる。監視通報装置登録の処理の詳細は後述する。
【０１３２】
次に、図８のステップＳ１１のグループ追加の処理の詳細について、図９のフローチャートを参照して説明する。
【０１３３】
ステップＳ３１において、表示制御部１６１は、グループを新規で追加する場合にユーザアカウントも新規で発行するので、そのために必要となるデータを入力させる画面をクライアント端末装置１１の出力部５７の画面に表示させる。
【０１３４】
図１０は、ウェブブラウザプログラム１５２によって表示される、グループ追加入力画面を表示させるクライアント端末装置１１（電子機器）の出力部５７の画面の例を示す図である。
【０１３５】
図１０で示されるように、グループ追加入力画面には、上から、“グループ名”である項目の右側に、グループ名を入力させるテキストボックス２０１、“ユーザID”である項目の右側に、ユーザIDを入力させるテキストボックス２０２、“パスワード”である項目の右側に、パスワードを入力させるテキストボックス２０３、“パスワード（確認）”である項目の右側に、確認用のパスワードを入力させるテキストボックス２０４、および“説明”である項目の右側に、追加するグループの説明を入力させるテキストボックス２０５が表示される。また、テキストボックス２０１乃至２０５のそれぞれに入力されたデータを、新規のグループとして登録させるボタンであるボタン２０６も表示される。
【０１３６】
“端末管理者”のユーザは、これらのテキストボックス２０１乃至２０５のそれぞれに、項目に応じたデータを入力し、ボタン２０６を押下することで、新規のグループ（“グループ管理者”である権限のユーザアカウント）を登録することができる。
【０１３７】
図９のフローチャートに戻り、例えば、ステップＳ３１において、表示制御部１６１は、“端末管理者”のユーザが、グループ（“グループ管理者”である権限のユーザアカウント）を新規で追加する場合、グループ追加入力画面（図１０）を、LCDやCRTディスプレイなどからなるクライアント端末装置１１の出力部５７に表示させる。
【０１３８】
ステップＳ３２において、入力制御部１６２は、グループ名の入力を受け付ける。例えば、ステップＳ３２において、入力制御部１６２は、“端末管理者”のユーザによって、グループ追加入力画面（図１０）のテキストボックス２０１に入力される“グループ１”であるグループ名の入力を受け付ける。
【０１３９】
ステップＳ３３において、入力制御部１６２は、ユーザIDの入力を受け付ける。例えば、ステップＳ３３において、入力制御部１６２は、“端末管理者”のユーザによって、グループ追加入力画面（図１０）のテキストボックス２０２に入力される“manager1”であるユーザIDの入力を受け付ける。
【０１４０】
ステップＳ３４において、入力制御部１６２は、パスワードの入力を受け付ける。例えば、ステップＳ３４において、入力制御部１６２は、“端末管理者”のユーザによって、グループ追加入力画面（図１０）のテキストボックス２０３に入力される“password1”であるパスワードの入力を受け付ける。また、このとき、入力制御部１６２は、“端末管理者”のユーザによって、グループ追加入力画面（図１０）のテキストボックス２０４に入力される“password1”であるパスワード（確認）の入力も受け付ける。
【０１４１】
またこのとき、入力制御部１６２は、説明の入力を受け付ける。例えば、入力制御部１６２は、“端末管理者”のユーザによって、グループ追加入力画面（図１０）のテキストボックス２０５に入力される“グループ１です。”である説明の入力を受け付ける。
【０１４２】
ステップＳ３５において、入力制御部１６２は、グループ名、ユーザID、およびパスワードなどのグループを新規で追加するために必要となるデータが決定されたか否かを判定する。例えば、ステップＳ３５において、入力制御部１６２は、グループ追加入力画面（図１０）のボタン２０６が押下されたか否かを判定することで、グループ（“グループ管理者”である権限のユーザアカウント）を新規で追加するために必要となるデータが決定されたか否かを判定する。
【０１４３】
ステップＳ３５において、グループ名、ユーザID、およびパスワードなどのグループを新規で追加するために必要となるデータが決定されていないと判定された場合、ステップＳ３５に戻り、例えば、ボタン２０６が押下されるまで、上述した処理が繰り返される。
【０１４４】
一方、ステップＳ３５において、グループ名、ユーザID、およびパスワードなどのグループを新規で追加するために必要となるデータが決定されたと判定された場合、ステップＳ３６に進み、コマンド生成部１６３は、コマンドを生成する。
【０１４５】
例えば、入力制御部１６２は、ボタン２０６が押下された場合、テキストボックス２０１乃至２０５のそれぞれ入力された、“グループ１”であるグループ名、“manager1”であるユーザID、“password1”であるパスワードおよび確認用のパスワード、並びに“グループ１です。”である説明を示す情報を、コマンド生成部１６３に供給する。コマンド生成部１６３は、入力制御部１６２から供給されてくる、“グループ１”であるグループ名、“manager1”であるユーザID、“password1”であるパスワードおよび確認用のパスワード、並びに“グループ１です。”である説明を示す情報を基に、コマンドを生成し、生成したコマンドを送信部１６４に供給する。
【０１４６】
このとき、例えば、コマンド生成部１６３は、コマンドとして、グループを追加するために、ユーザアカウントの発行を要求するコマンド（以下、ユーザアカウント発行コマンドと称する）を生成するとともに、そのコマンドのパラメータとして、“グループ１”であるグループ名、“manager1”であるユーザID、“password1”であるパスワードおよび確認用のパスワード、並びに“グループ１です。”である説明を付加する。
【０１４７】
ステップＳ３７において、送信部１６４は、コマンド生成部１６３において生成されたコマンドが、コマンド生成部１６４から供給されてきたとき、通信部５９に、通信網１４を介して、そのコマンドを遠隔監通報サーバ１３宛に送信させて、処理を図８のステップＳ１１に戻し、ステップＳ１２以降の処理を実行させる。
【０１４８】
例えば、送信部１６４は、通信部５９に、コマンド生成部１６４から供給されてくる、ユーザアカウント発行コマンドと、そのコマンドにパラメータとして付加された“グループ１”であるグループ名、“manager1”であるユーザID、“password1”であるパスワードおよび確認用のパスワード、並びに“グループ１です。”である説明とを、通信網１４を介して、遠隔監通報サーバ１３宛に送信させる。
【０１４９】
このように、上位の権限のユーザアカウントでログインしたユーザは、自分自身よりも下位の権限のユーザアカウントを発行することができる。例えば、“端末管理者”のユーザは、その下位の権限のユーザである“グループ管理者”である権限のユーザアカウントを発行することができる。
【０１５０】
次に、図８のステップＳ１２のグループ設定の処理の詳細について、図１１のフローチャートを参照して説明する。
【０１５１】
ステップＳ５１において、表示制御部１６１は、登録されているグループ（ユーザアカウント）に関する情報を更新させる画面をクライアント端末装置１１の出力部５７の画面に表示させる。
【０１５２】
図１２は、ウェブブラウザプログラム１５２によって表示される、グループ設定入力画面を表示させるクライアント端末装置１１（電子機器）の出力部５７の画面の例を示す図である。
【０１５３】
図１２で示されるように、グループ設定入力画面の上側には、上から、“グループ選択”である項目の右側に、グループ名を選択させるリストボックス２１１、“グループ名”である項目の右側に、リストボックス２１１で選択されたグループ名を表示させるか、またはグループ名を入力させるテキストボックス２１２、“ユーザID”である項目の右側に、ユーザIDを入力させるテキストボックス２１３、“パスワード”である項目の右側に、パスワードを入力させるテキストボックス２１４、“パスワード（確認）”である項目の右側に、確認用のパスワードを入力させるテキストボックス２１５、および“説明”である項目の右側に、設定するグループの説明を入力させるテキストボックス２１６が表示される。
【０１５４】
また、グループ設定入力画面の下側の権限設定エリア２１７には、上から、“トレンドグラフ”である項目の右側に、“トレンドグラフ”を使用する権限を許可とするか、または不可とするかを選択させるラジオボタン２１７−１、“計測データ”である項目の右側に、“計測データ”を使用する権限を許可とするか、または不可とするかを選択させるラジオボタン２１７−２、“警報一覧”である項目の右側に、“警報一覧”を使用する権限を許可とするか、または不可とするかを選択させるラジオボタン２１７−３、“管理メニュー”である項目の右側に、“管理メニュー”を使用する権限を許可とするか、または不可とするかを選択させるラジオボタン２１７−４、“端末タイトル、データ設定”である項目の右側に、“端末タイトル、データ設定”を使用する権限を許可とするか、または不可とするかを選択させるラジオボタン２１７−５、および“ユーザアカウント発行”である項目の右側に、“ユーザアカウント発行”を使用する権限を許可とするか、または不可とするかを選択させるラジオボタン２１７−６が表示される。
【０１５５】
さらに、テキストボックス２１２乃至２１６のそれぞれ入力されたデータ、およびラジオボタン２１７−１乃至２１７−６のそれぞれで選択されたデータを、対象となるグループ（対象となるユーザアカウント）のデータとして更新させるボタンであるボタン２１８も表示される。
【０１５６】
図１２で示される例において、リストボックス２１１には、“グループ１”であるグループ名が表示され、テキストボックス２１２には、“グループ１”であるグループ名が表示され、テキストボックス２１３には、“manager1”であるユーザIDが表示され、テキストボックス２１４には、“*********”であるパスワードが表示され、テキストボックス２１５には、“*********”であるパスワード（確認）が表示され、テキストボックス２１６には、“グループ１です。”である説明が表示される（本来であれば、テキストボックス２１４およびテキストボックス２１５には、“password1”を表示するが、この場合、セキュリティを高めるために、同一の文字数となる“*”（アスタリスク）を表示させている）。
【０１５７】
すなわち、上述したように、図８のステップＳ１１の処理において、グループ追加の処理を行うことで、“グループ管理者”である権限のユーザアカウントとして、“グループ１”であるグループ名に対して、“manager1”であるユーザIDと“password1”であるパスワード、“グループ１です。”である説明とが登録されていることになる。
【０１５８】
権限設定エリア２１７で設定する権限は、例えば、“端末管理者”のユーザが、自分自身よりも下位のユーザである、“グループ管理者”である権限のユーザアカウントにおける権限を設定する場合に選択される。また、それらの権限の初期値は、例えば、全ての機能を許可する設定となっている。すなわち、図８のステップＳ１１のグループ追加の処理によって発行されたユーザアカウントの権限は、全ての機能を許可する設定となっている。
【０１５９】
また、権限設定エリア２１７に表示されている機能のうち、“トレンドグラフ”、“計測データ”、“警報一覧”、“管理メニュー”、および“端末タイトル、データ設定”は、遠隔監視通報システム１において、“グループ管理者”のユーザが、遠隔監視通報サーバ１３に蓄積されるデータ（例えば、デマンド値、温度値、漏洩電流値、または内部温度値）を参照する際に、使用可能となる機能の一例である。すなわち、権限設定エリア２１７に表示されている機能に限らず、例えば、“デマンド値の１日分のデータ”、“デマンド値の１週間分のデータ”、“デマンド値の１月分のデータ”、または“デマンド値の１年分のデータ”など、遠隔監視通報システム１において、ユーザアカウントに設定可能な権限（機能）であればよい。
【０１６０】
さらに、権限設定エリア２１７に表示されている機能のうち、“ユーザアカウントの発行”は、遠隔監視通報システム１において、“グループ管理者”のユーザが、自分自身よりも下位の権限のユーザである、“一般ユーザ”である権限のユーザアカウントを発行させる機能である。
【０１６１】
このように、ラジオボタン２１７−６の“許可”または“不可”のいずれか一方の選択させて、自分自身よりも下位の権限のユーザアカウントを発行させるか否かの選択をさせることができるので、例えば、企業内の組織に合わせて、より細かい権限の設定を行うことができる。例えば、同じ支店の社員であっても、担当者に対して、ユーザアカウントを発行する必要がある社員と、そうでない社員が存在するので、そのようなときに、この権限を使い分けるようにすればよい。
【０１６２】
“端末管理者”のユーザは、これらのテキストボックス２１２乃至２１６のそれぞれに、項目に応じたデータを入力し、ラジオボタン２１７−１乃至２１７−６の“許可”または“不可”のいずれか一方をそれぞれ選択し、ボタン２１８を押下することで、グループ（“グループ管理者”である権限のユーザアカウント）のデータを更新することができる。
【０１６３】
図１１のフローチャートに戻り、例えば、表示制御部１６１は、“端末管理者”のユーザがグループの設定を変更する場合、グループ設定入力画面（図１２）を、LCDやCRTディスプレイなどからなるクライアント端末装置１１の出力部５７に表示させる。
【０１６４】
ステップＳ５２において、入力制御部１６２は、各機能に対する権限の選択を受け付ける。例えば、ステップＳ５２において、入力制御部１６２は、ユーザによって、グループ設定入力画面（図１２）のラジオボタン２１７−１乃至２１７−６のそれぞれの“許可”または“不可”の選択を受け付ける。
【０１６５】
具体的には、入力制御部１６２は、ユーザによって、“トレンドグラフ”の権限として、“不可”であるラジオボタン２１７−１の選択を受け付け、“計測データ”の権限として、“許可”であるラジオボタン２１７−２の選択を受け付け、“警報一覧”の権限として、“不可”であるラジオボタン２１７−３の選択を受け付け、“管理メニュー”の権限として、“許可”であるラジオボタン２１７−４の選択を受け付け、“端末タイトル、データ設定”の権限として、“不可”であるラジオボタン２１７−５の選択を受け付け、“ユーザアカウントの発行”の権限として、“許可”であるラジオボタン２１７−６の選択を受け付ける。
【０１６６】
すなわち、グループ設定入力画面（図１２）において、図８のステップＳ１１のグループ追加の処理を実行したときには、全ての機能を許可する設定となっていたが（ラジオボタンの“許可”および“不可”のうち、“許可”が選択されていたが）、ユーザの操作によって、ラジオボタン２１７−１では、“許可”を示す権限から、“トレンドグラフ“の使用を拒否する“不可”を示す権限に変更され、ラジオボタン２１７−３では、“許可”を示す権限から、“警報一覧“の使用を拒否する“不可”を示す権限に変更され、ラジオボタン２１７−５では、“許可”を示す権限から、“端末タイトル、データ設定“の使用を拒否する“不可”を示す権限に変更されたことになる。
【０１６７】
なお、このとき、ユーザアカウントの権限の設定以外に、グループ設定入力画面（図１２）のテキストボックス２１２乃至２１６のそれぞれに入力されるデータの入力を受け付ける。すなわち、詳細な説明は上述したので省略するが、権限の設定以外にも、グループ名、ユーザID、パスワード、または説明を変更することもできる。
【０１６８】
ステップＳ５３において、入力制御部１６２は、各権限が決定されたか否かを判定する。例えば、ステップＳ５３において、入力制御部１６２は、グループ設定入力画面（図１２）のボタン２１８が押下されたか否かを判定することで、各権限が決定されたか否かを判定する。
【０１６９】
ステップＳ５３において、各権限が決定されていないと判定された場合、ステップＳ５２に戻り、例えば、ボタン２１８が押下されるまで、上述した処理が繰り返される。
【０１７０】
一方、ステップＳ５３において、各権限が決定されたと判定された場合、ステップＳ５４に進み、コマンド生成部１６３は、コマンドを生成する。
【０１７１】
例えば、入力制御部１６２は、ボタン２１８が押下された場合、ラジオボタン２１７−１乃至２１７−６のそれぞれ選択された、“不可”である“トレンドグラフ”の権限、“許可”である“計測データ”の権限、“不可”である“警報一覧”の権限、“許可”である“管理メニュー”の権限、“不可”である“端末タイトル、データ設定”の権限、“許可”である“ユーザアカウントの発行”の権限を示す情報をコマンド生成部１６３に供給する。コマンド生成部１６３は、入力制御部１６２から供給されてくる、“不可”である“トレンドグラフ”の権限、“許可”である“計測データ”の権限、“不可”である“警報一覧”の権限、“許可”である“管理メニュー”の権限、“不可”である“端末タイトル、データ設定”、および“許可”である“ユーザアカウントの発行”の権限を示す情報を基に、コマンドを生成し、生成したコマンドを送信部１６４に供給する。
【０１７２】
このとき、例えば、コマンド生成部１６３は、コマンドとして、権限設定を要求するコマンド（以下、権限設定コマンドと称する）を生成するとともに、そのコマンドのパラメータとして、“不可”である“トレンドグラフ”の権限、“許可”である“計測データ”の権限、“不可”である“警報一覧”の権限、“許可”である“管理メニュー”の権限、“不可”である“端末タイトル、データ設定”の権限、および“許可”である“ユーザアカウントの発行”の権限を付加する。
【０１７３】
ステップＳ５５において、送信部１６４は、コマンド生成部１６３において生成されたコマンドが、コマンド生成部１６４から供給されてきたとき、通信部５９に、通信網１４を介して、そのコマンドを遠隔監通報サーバ１３宛に送信させて、処理を図８のステップＳ１２に戻し、ステップＳ１３以降の処理を実行させる。
【０１７４】
例えば、送信部１６４は、通信部５９に、コマンド生成部１６４から供給されてくる、権限設定コマンドと、その権限設定コマンドにパラメータとして付加された“不可”である“トレンドグラフ”の権限、“許可”である“計測データ”の権限、“不可”である“警報一覧”の権限、“許可”である“管理メニュー”の権限、“不可”である“端末タイトル、データ設定”、および“許可”である“ユーザアカウントの発行”とを、通信網１４を介して、遠隔監通報サーバ１３宛に送信させる。
【０１７５】
このように、自分自身よりも下位の権限のユーザアカウントに対して、各種の権限を設定することができる。また、自分自身よりも下位のユーザアカウントに対して、ユーザアカウントを発行させるか否かの権限を選択させることができるので、よりユーザの要望にあったユーザアカウントを発行させることができるとともに、ユーザは、簡単な操作で、所望のユーザアカウントを発行することができる。
【０１７６】
次に、図８のステップＳ１３の監視通報装置登録の処理の詳細について、図１３のフローチャートを参照して説明する。
【０１７７】
ステップＳ７１において、表示制御部１６１は、発行されているユーザアカウントで閲覧や設定が可能となる監視通報装置１１（監視通報装置１１に接続されたセンサ４１）の登録させる画面をクライアント端末装置１１の出力部５７の画面に表示させる。
【０１７８】
図１４は、ウェブブラウザプログラム１５２によって表示される、監視通報装置登録画面を表示させるクライアント端末装置１１（電子機器）の出力部５７の画面の例を示す図である。
【０１７９】
図１４で示されるように、監視通報装置登録画面には、“端末”である項目の右側に、監視通報装置１１を選択させるリストボックス２２１が表示され、選択された監視通報装置１１を登録（追加）するボタンであるボタン２２２も表示される。また、リストボックス２２１の右側の“を、「グループ１」へ”は、リストボックス２２１で選択された監視通報装置１１を、グループ１に登録（追加）することを示す。
【０１８０】
“端末管理者”のユーザは、リストボックス２２１に表示されるリストの中から、所望の監視通報装置１１を選択し、ボタン２２２を押下することで、選択された監視通報装置１１を、グループ（“グループ管理者”である権限のユーザアカウント）に登録（追加）することができる。
【０１８１】
図１３のフローチャートに戻り、例えば、表示制御部１６１は、“端末管理者”のユーザが、“グループ管理者”である権限のユーザアカウントで閲覧や設定が可能となる監視通報装置１１を追加させる場合、監視通報装置登録画面（図１４）を、LCDやCRTディスプレイなどからなるクライアント端末装置１１の出力部５７に表示させる。
【０１８２】
ステップＳ７２において、表示制御部１６１は、登録可能となる監視通報装置１１をクライアント端末装置１１の出力部５７の画面に表示させる。例えば、ステップＳ７２において、表示制御部１６１は、“端末管理者”のユーザによって、監視通報装置登録画面（図１４）のリストボックス２２１の右側の逆三角形の模様が付されたボタンが押下された場合、“グループ管理者”である権限のユーザアカウントで閲覧や設定が可能となる監視通報装置１１（監視通報装置１１が設置された店舗、工場、または一般家庭）の一覧を表示させる。
【０１８３】
図１５は、閲覧や設定が可能となる監視通報装置１１（通報装置）が設置された店舗の名称の一覧を表示させる監視通報装置登録画面の例を示す図である。
【０１８４】
図１４に示す場合と同様の部分には、同一の符号が付してあり、その説明は（適宜）省略する。
【０１８５】
図１５で示されるように、リストボックス２２１の右側の逆三角形の模様が付されたボタンが押下されることで、“グループ管理者”である権限のユーザアカウントで閲覧や設定が可能となる監視通報装置１１（監視通報装置１１が設置された店舗、工場、または一般家庭）の一覧が表示される。
【０１８６】
図１５で示される例において、リストボックス２２１には、“コンビニ Ａ店”、“コンビニ Ｂ店”、“コンビニ Ｃ店”、“スーパ Ｄ店”、“スーパ Ｅ店”、および“デパート Ｆ店”が表示される。
【０１８７】
ここで、リストボックス２２１に表示される一覧には、例えば、店舗、工場、または一般家庭などの監視通報装置１１が設置されている場所の名称が表示される。すなわち、“コンビニ Ａ店”である店舗に設置されている監視通報装置１１−１の名称として、ユーザがよりイメージしやすい、“コンビニ Ａ店”である店舗の名称を付している。また、同様に、“コンビニ Ｂ店”である店舗に設置されている監視通報装置１１−２の名称として、“コンビニ Ｂ店”である店舗の名称を付している。さらに、“コンビニ Ｃ店”、“スーパ Ｄ店”、“スーパ Ｅ店”、および“デパート Ｆ店”のそれぞれに設置されている監視通報装置１１についても、同様に、“コンビニ Ｃ店”、“スーパ Ｄ店”、“スーパ Ｅ店”、および“デパート Ｆ店”のそれぞれが名称として付されている。
【０１８８】
すなわち、“端末管理者”のユーザが、“グループ管理者”のユーザ（グループ１）に対して、追加可能となる監視通報装置１１は、“コンビニ Ａ店”、“コンビニ Ｂ店”、“コンビニ Ｃ店”、“スーパ Ｄ店”、“スーパ Ｅ店”、および“デパート Ｆ店”に設置されている監視通報装置１１となる。換言すれば、“グループ管理者”のユーザ（グループ１）は、“端末管理者”のユーザによって設定される、“コンビニ Ａ店”、“コンビニ Ｂ店”、“コンビニ Ｃ店”、“スーパ Ｄ店”、“スーパ Ｅ店”、および“デパート Ｆ店”のいずれかに設置されている監視通報装置１１の閲覧や設定が可能となる。
【０１８９】
“端末管理者”のユーザは、これらのリストボックス２２１に表示された、店舗の名称を選択することで、その店舗に設置されている監視通報装置１１を選択し、ボタン２２２を押下することで、選択した店舗に設置されている監視通報装置１１を、グループ１（“グループ管理者”である権限のユーザアカウント）に登録（追加）することができる。
【０１９０】
また、“端末管理者”のユーザが、グループ１とは異なる、例えば、グループ２であるグループに対して、追加可能となる監視通報装置１１は、グループ１と同様に、“コンビニ Ａ店”、“コンビニ Ｂ店”、“コンビニ Ｃ店”、“スーパ Ｄ店”、“スーパ Ｅ店”、および“デパート Ｆ店”に設置されている監視通報装置１１となる。
【０１９１】
このように、下位の権限を付与されたユーザアカウントに対して、重複して同一の場所に設置されている監視通報装置１１を登録することができるので、例えば、異なる支店間（担当者間）で、同一の監視通報装置１１の設定や閲覧を行いたい場合であっても、別々に発行されたユーザアカウントでログインしたユーザが、同一の監視通報装置１１の設定や閲覧を行うことができる。具体的には、グループ１のユーザアカウントに“デパート Ｆ店”が登録されている場合であっても、グループ２のユーザアカウントに“デパート Ｆ店”を登録することができるので、グループ２のユーザアカウントでログインしたユーザであっても、グループ１のユーザアカウントでログインしたユーザと同様に、“デパート Ｆ店”に設置されている監視通報装置１１の閲覧や設定をすることが可能となる。
【０１９２】
また、図１５で示される例において、“端末管理者”のユーザは、店舗に設置されている監視通報装置１１を、グループ１（“グループ管理者”である権限のユーザアカウント）に登録（追加）することができるとして説明したが、監視通報装置１１に接続される、例えば、電力計４１−１、温度センサ４１−２、または漏電センサ４１−３などのセンサ４１が検知するデータを、グループ１（“グループ管理者”である権限のユーザアカウント）に（登録）追加するようにしてもよい。
【０１９３】
図１６は、監視通報装置１１（通報装置）に接続されたセンサ４１（センサ）が検知するデータの名称の一覧を表示させる監視通報装置登録画面の例を示す図である。
【０１９４】
図１４に示す場合と同様の部分には、同一の符号が付してあり、その説明は（適宜）省略する。
【０１９５】
図１６で示されるように、リストボックス２２１の右側の逆三角形の模様が付されたボタンが押下されることで、“グループ管理者”である権限のユーザアカウントで閲覧や設定が可能となる監視通報装置１１に接続されたセンサ４１の検知するデータの名称の一覧が表示される。
【０１９６】
図１６で示される例において、リストボックス２２１には、“コンビニ Ａ店 デマンド”、“コンビニ Ａ店 温度”、“コンビニ Ｂ店 デマンド”、“コンビニ Ｂ店 温度”、“コンビニ Ｃ店 デマンド”、および“コンビニ Ｃ店 デマンド”が表示される。
【０１９７】
ここで、リストボックス２２１に表示される一覧には、監視通報装置１１が設置されている場所と、監視通報装置１１に接続されたセンサ４１が検知するデータの名称が表示される。すなわち、“コンビニ Ａ店”である店舗に設置されている監視通報装置１１−１に接続された電力計４１−１から取り込んだデマンド値のデータとして、ユーザがよりイメージしやすい、“コンビニ Ａ店 デマンド”である名称を付している。また、同様に、“コンビニ Ａ店”である店舗に設置されている監視通報装置１１−１に接続された温度センサ４１−２から取り込んだ温度値のデータとして、“コンビニ Ａ店 温度”である名称を付している。さらに、“コンビニ Ｂ店”および“コンビニ Ｃ店”のそれぞれに設置されている監視通報装置１１に接続されたセンサ４１についても、同様に、“コンビニ Ｂ店 デマンド”、“コンビニ Ｂ店 温度”、“コンビニ Ｃ店 デマンド”、および“コンビニ Ｃ店 温度”のそれぞれが名称として付されている。
【０１９８】
すなわち、“端末管理者”のユーザが、“グループ管理者”のユーザ（グループ１）に対して、追加可能となる監視通報装置１１に接続されたセンサ４１の検知するデータは、“コンビニ Ａ店 デマンド”、“コンビニ Ａ店 温度”、“コンビニ Ｂ店 デマンド”、“コンビニ Ｂ店 温度”、“コンビニ Ｃ店 デマンド”、および“コンビニ Ｃ店 温度”となる。換言すれば、“グループ管理者”のユーザ（グループ１）は、“端末管理者”のユーザによって設定される、“コンビニ Ａ店 デマンド”、“コンビニ Ａ店 温度”、“コンビニ Ｂ店 デマンド”、“コンビニ Ｂ店 温度”、“コンビニ Ｃ店 デマンド”、および“コンビニ Ｃ店 温度”のいずれかのデータの閲覧や設定が可能となる。
【０１９９】
“端末管理者”のユーザは、これらのリストボックス２２１に表示された、店舗とデータの名称を選択することで、その店舗に設置されている監視通報装置１１に接続されたセンサ４１を選択し、ボタン２２２を押下することで、選択した店舗に設置されている監視通報装置１１に接続されたセンサ４１を、グループ１（“グループ管理者”である権限のユーザアカウント）に登録（追加）することができる。
【０２００】
このように、監視通報装置１１よりもさらに細かい単位である、監視通報装置１１に接続されたセンサ４１単位でグルーピングすることができるので、監視通報装置１１が検知するデータのうち、必要となるデータのみを選択して取得することができる。例えば、“コンビニ Ａ店”に設置されている監視通報装置１１−１は、例えば、デマンド値、温度値、漏洩電流値、または内部温度値などを検知しているが、それらが全てのユーザにとって必要となるデータではない場合もあるので、センサ４１単位でグルーピングすることで、ユーザにとって必要となるデータ（例えば、デマンド値）のみを取得することができる。
【０２０１】
従って、センサ４１によって検知されるデータごとに、そのデータに対する閲覧などの設定を行うことで、より細かい単位（センサ４１単位で）で設定することができるので、使用するユーザの使用方法に合った、最適なユーザアカウントを簡単に発行することができる。
【０２０２】
なお、上述した例において、リストボックス２２１に表示させるデータは、店舗およびデータの名称として説明したが、本発明はそれに限らず、例えば、監視通報装置１１の名称そのものなど、ユーザに対して、登録させるデータを認識させることが可能となるデータであればよい。
【０２０３】
図１３のフローチャートに戻り、ステップＳ７３において、入力制御部１６２は、監視通報装置１１の選択を受け付ける。例えば、ステップＳ７３において、入力制御部１６２は、監視通報装置登録画面（図１５）のリストボックス２２１に表示される、“コンビニ Ａ店”、“コンビニ Ｂ店”、“コンビニ Ｃ店”、“スーパ Ｄ店”、“スーパ Ｅ店”、および“デパート Ｆ店”の中から、ユーザによって選択される、所望の監視通報装置１１が設置された店舗の選択を受け付ける。
【０２０４】
また、例えば、ステップＳ７３において、入力制御部１６２は、監視通報装置登録画面（図１６）のリストボックス２２１に表示される、“コンビニ Ａ店 デマンド”、“コンビニ Ａ店 温度”、“コンビニ Ｂ店 デマンド”、“コンビニ Ｂ店 温度”、“コンビニ Ｃ店 デマンド”、および“コンビニ Ｃ店 温度”の中から、ユーザによって選択される、所望の店舗に設置された、監視通報装置１１に接続されたセンサ４１が検知するデータの選択を受け付ける。
【０２０５】
ステップＳ７４において、入力制御部１６２は、追加する監視通報装置１１が決定されたか否かを判定する。例えば、ステップＳ７４において、入力制御部１６２は、監視通報装置登録画面（図１４）のボタン２２２が押下されたか否かを判定することで、追加する監視通報装置１１が決定されたか否かを判定する。
【０２０６】
ステップＳ７４において、追加する監視通報装置１１が決定されていないと判定された場合、ステップＳ７４に戻り、例えば、ボタン２２２が押下されるまで、上述した処理が繰り返される。
【０２０７】
一方、ステップＳ７４において、追加する監視通報装置１１が決定されたと判定された場合、ステップＳ７５に進み、コマンド生成部１６３は、コマンドを生成する。
【０２０８】
例えば、入力制御部１６１は、監視通報装置登録画面（図１４）のボタン２２２が押下された場合、リストボックス２２１によって選択された“コンビニ Ａ店 デマンド”であるセンサ４１の検知するデータ（以下、ユーザによって決定された監視通報装置１１（監視通報装置１１に接続されたセンサ４１）を示す情報を登録端末と称する）を示す情報をコマンド生成部１６３に供給する。コマンド生成部１６３は、入力制御部１６２から供給されてくる、“コンビニ Ａ店 温度”である登録端末を示す情報を基に、コマンドを生成し、生成したコマンドを送信部１６４に供給する。
【０２０９】
このとき、例えば、コマンド生成部１６３は、コマンドとして、監視通報装置１１の追加を要求するコマンド（以下、監視通報装置追加コマンドと称する）を生成するとともに、そのコマンドのパラメータとして、“コンビニ Ａ店 デマンド”である登録端末を付加する。
【０２１０】
ステップＳ７６において、送信部１６４は、コマンド生成部１６３において生成されたコマンドが、コマンド生成部１６４から供給されてきたとき、通信部５９に、通信網１４を介して、そのコマンドを遠隔監通報サーバ１３宛に送信させて、処理を図８のステップＳ１３に戻し、処理は終了する。
【０２１１】
例えば、送信部１６４は、通信部５９に、コマンド生成部１６４から供給されてくる、監視通報装置追加コマンドと、そのコマンドにパラメータとして付加された“コンビニ Ａ店 デマンド”である登録端末とを、通信網１４を介して、遠隔監通報サーバ１３宛に送信させる。
【０２１２】
このように、“端末管理者”のユーザ（上位のユーザ）は、“グループ管理者”のユーザ（下位のユーザ）に対して、監視通報装置１１または監視通報装置１１に接続されたセンサ４１を単位とするグルーピングして、ユーザアカウントを発行することができるので、簡単に、最適なユーザアカウントを発行することができる。
【０２１３】
以上、クライアント端末装置１５が行う処理について説明した。次に、図１７および図１８を参照して、遠隔監視通報サーバ１３の行う処理について説明する。
【０２１４】
まず、図１７のフローチャートを参照して、遠隔監通報サーバ１３（情報提供装置）における、ユーザアカウントの設定の処理について説明する。
【０２１５】
ステップＳ９１において、コマンド解析部１１１は、受信部１１４から供給されてくるコマンドを基に、通信網１４を介して、クライアント端末装置１５からコマンドを受信したか否かを判定する。
【０２１６】
ステップＳ９１において、コマンドを受信していないと判定された場合、ステップＳ９１に戻り、上述した処理が繰り返される。すなわち、遠隔監通報サーバ１３は、通信網１４を介して、クライアント端末装置１５からコマンドを受信するまで、待機している。
【０２１７】
一方、ステップＳ９１において、コマンドを受信したと判定された場合、ステップＳ９２に進み、コマンド解析部１１１は、受信部１１４から供給されてくるコマンドを解析する。
【０２１８】
ステップＳ９３において、コマンド解析部１１１は、自分が解析したコマンドの解析結果を基に、そのコマンドが、ユーザアカウント発行コマンドであるか否かを判定する。
【０２１９】
ステップＳ９３において、解析したコマンドがユーザアカウント発行コマンドであると判定された場合、ステップＳ９４に進み、ユーザアカウント発行部１１２は、ユーザアカウント発行の処理を行って、処理は終了する。
【０２２０】
例えば、コマンド解析部１１１は、自分が解析したコマンドがユーザアカウント発行コマンドである場合、そのコマンドにパラメータとして付加されている、“グループ１”であるグループ名、“manager1”であるユーザID、“password1”であるパスワードおよび確認用のパスワード、並びに“グループ１です。”である説明を示す情報を、ユーザアカウント発行部１２１に供給する。ユーザアカウント発行部１２１は、コマンド解析部１１１から供給されてくる、“グループ１”であるグループ名、“manager1”であるユーザID、“password1”であるパスワードおよび確認用のパスワード、並びに“グループ１です。”である説明を示す情報を、ユーザアカウント管理テーブルに格納させることで、ユーザアカウントを発行する。
【０２２１】
一方、ステップＳ９３において、解析したコマンドがユーザアカウント発行コマンドでないと判定された場合、ステップＳ９５に進み、コマンド解析部１１１は、自分が解析したコマンドの解析結果を基に、そのコマンドが、権限設定コマンドであるか否かを判定する。
【０２２２】
ステップＳ９５において、解析したコマンドが権限設定コマンドであると判定された場合、ステップＳ９６に進み、権限設定部１２２は、権限設定の処理を行って、処理は終了する。
【０２２３】
例えば、コマンド解析部１１１は、自分が解析したコマンドが権限設定コマンドである場合、そのコマンドにパラメータとして付加されている、“不可”である“トレンドグラフ”の権限、“許可”である“計測データ”の権限、“不可”である“警報一覧”の権限、“許可”である“管理メニュー”の権限、“不可”である“端末タイトルおよびデータ設定”の権限、“許可”である“ユーザアカウントの発行”の権限を示す情報を、権限設定部１２２に供給する。権限設定部１２２は、コマンド解析部１１１から供給されてくる、“不可”である“トレンドグラフ”の権限、“許可”である“計測データ”の権限、“不可”である“警報一覧”の権限、“許可”である“管理メニュー”の権限、“不可”である“端末タイトルおよびデータ設定”の権限、“許可”である“ユーザアカウントの発行”の権限を示す情報を、ユーザアカウント管理テーブルに格納させることで、対象となるユーザアカウントの権限を設定する。
【０２２４】
一方、ステップＳ９５において、解析したコマンドが権限設定コマンドでないと判定された場合、ステップＳ９７に進み、監視通報装置設定部１２３は、監視通報装置設定の処理を行って、処理は終了する。
【０２２５】
例えば、コマンド解析部１１１は、自分が解析したコマンドが監視通報装置追加コマンドである場合、そのコマンドにパラメータとして付加されている、“コンビニ Ａ店 デマンド”である登録端末を示す情報を監視通報装置設定部１２３に供給する。監視通報装置設定部１２３は、コマンド解析部１１１から供給されてくる、“コンビニ Ａ店 デマンド”である登録端末を示す情報を、ユーザアカウント管理テーブルに格納させることで、対象となるユーザアカウントで閲覧や設定が可能となる監視通報装置１１または監視通報装置１１に接続されたセンサ４１を設定する。
【０２２６】
図１８は、ユーザアカウント管理テーブルの例を示す図である。
【０２２７】
図１８で示されるユーザアカウント管理テーブルの例において、１行目は、項目を示し、２行目以降は各ユーザのそれぞれのデータを示す。また、１列目は“No”、２列目は“名称”、３列目は“ユーザID”、４列目は“パスワード”、５列目は“ユーザレベル”、６列目は“権限”、７列目は“登録端末”を示す。
【０２２８】
例えば、図１８で示されるユーザアカウント管理テーブルの例においては、“１”である番号に対して、“グループ１”である名称、“manager1”であるユーザID、“password1”であるパスワード、“グループ管理者”であるユーザレベル、“計測データ、管理メニュー、ユーザアカウントの発行”である権限、“コンビニ Ａ店 デマンド、コンビニ Ｂ店 デマンド”である登録端末が格納されている。また、“２”である番号に対して、“グループ２”である名称、“manager2”であるユーザID、“password2”であるパスワード、“グループ管理者”であるユーザレベル、“管理メニュー、ユーザアカウントの発行”である権限、“コンビニ Ｂ店 温度、コンビニ Ｃ店 温度、スーパ Ｅ店 デマンド、百貨店 Ｆ店 デマンド”である登録端末が格納されている。
【０２２９】
さらにまた、“３”である番号に対して、“サブグループ１”である名称、“user1”であるユーザID、“user1”であるパスワード、“一般ユーザであるユーザレベル、“管理メニュー”である権限、“コンビニ Ｃ店 温度、コンビニ Ｅ店 温度”である登録端末が格納されている。また、“４”である番号に対して、“サブグループ２”である名称、“user 2”であるユーザID、“user 2”であるパスワード、“グループ管理者”であるユーザレベル、“管理メニュー”である権限、“コンビニ Ｃ店 デマンド、スーパ Ｅ店 デマンド”である登録端末が格納されている。
【０２３０】
例えば、図８のステップＳ１１のグループ追加の処理において、“端末管理者”のユーザが、“グループ管理者”である権限のユーザアカウントの発行を要求してきた場合、ステップＳ９４の処理において、ユーザアカウント発行部１２１は、コマンド解析部１１１から供給されてくる、“グループ１”であるグループ名、“manager1”であるユーザID、並びに“password1”であるパスワードおよび確認用のパスワードを、ユーザアカウント管理テーブル（図１８）の２行目に格納させることで、ユーザアカウントを発行する。
【０２３１】
また、例えば、図８のステップＳ１２のグループ設定の処理において、“端末管理者”のユーザが、“グループ管理者”である権限のユーザアカウントの権限の設定を要求してきた場合、ステップＳ９６の処理において、権限設定部１２２は、コマンド解析部１１１から供給されてくる、“不可”である“トレンドグラフ”の権限、“許可”である“計測データ”の権限、“不可”である“警報一覧”の権限、“許可”である“管理メニュー”の権限、“不可”である“端末タイトルおよびデータ設定”の権限、“許可”である“ユーザアカウントの発行”の権限、すなわち、“許可”である権限として、“計測データ”、“管理メニュー”、および“ユーザアカウントの発行”を、ユーザアカウント管理テーブル（図１８）の２行目に格納させることで、対象となるユーザアカウントの権限を設定する。
【０２３２】
さらに、例えば、図８のステップＳ１３の監視通報装置登録の処理において、“端末管理者”のユーザが、“グループ管理者”である権限のユーザアカウントで閲覧や参照が可能となる監視通報装置１１または監視通報装置１１に接続されたセンサ４１の登録（追加）を要求してきた場合、ステップＳ９７の処理において、監視通報装置設定部１２３は、コマンド解析部１１１から供給されてくる、“コンビニ Ａ店 デマンド”である登録端末を、ユーザアカウント管理テーブル（図１８）の２行目に格納させることで、対象となるユーザアカウントで閲覧や設定が可能となる監視通報装置１１または監視通報装置１１に接続されたセンサ４１を設定する。
【０２３３】
すなわち、図８乃至図１６を参照して説明したクライアント端末装置１１の処理に対して、図１７を参照して説明した遠隔監視通報サーバ１３が処理を実行することで、ユーザアカウント管理テーブル（図１８）の２行目に格納された、グループ１のユーザアカウントを発行することができる。
【０２３４】
このように、上位の権限を付与されたユーザは、下位の権限を付与するユーザに対して、監視通報装置１１または監視通報装置１１に接続されたセンサ４１を単位とするグルーピングして、ユーザアカウントを発行することができるので、簡単に、最適なユーザアカウントを発行することができる。
【０２３５】
また、上位の権限を付与されたユーザは、ユーザアカウントを発行する場合、そのユーザアカウントの権限として、下位の権限のユーザアカウントを発行させるか否かの選択をすることができるので、簡単に、最適なユーザアカウントを発行することができる。
【０２３６】
なお、上述した例においては、“端末管理者”のユーザが、“グループ管理者”である権限のユーザアカウントのグループをグルーピングするとして説明したが、本発明はそれに限定されず、例えば、“グループ管理者”のユーザが、“一般ユーザ”である権限のユーザアカウントのグループをグルーピングするようにしてもよい。
【０２３７】
また、上述した例においては、権限の種別（ユーザレベル）を、“システム管理者”、“端末管理者”、“グループ管理者”、および“一般ユーザ”の４つを一例にして説明したが、権限の種別は、この４つに限らず、３つ以下にしてもよいし、５つ以上にしてもよい。
【０２３８】
上述した一連の処理は、パーソナルコンピュータにより実行するようにしてもよい。
【０２３９】
一連の処理をさせるプログラムが格納されている記録媒体は、図３に示すように、コンピュータとは別に、ユーザにプログラムを提供するために配布される、プログラムが記録されている磁気ディスク７１（フレキシブルディスクを含む）、光ディスク７２（CD-ROM、DVDを含む）、光磁気ディスク７３（MD(Mini-Disc)（商標）を含む）、若しくは半導体メモリ７４などよりなるパッケージメディアにより構成されるだけでなく、コンピュータに予め組み込まれた状態でユーザに提供される、プログラムが記録されているROM５２や、記録部５８に含まれるハードディスクなどで構成される。
【０２４０】
また、上述した一連の処理を実行させるプログラムは、必要に応じてルータ、モデムなどのインターフェイスを介して、ローカルエリアネットワーク、インターネット、デジタル衛星放送といった、有線または無線の通信媒体を介してコンピュータにインストールされるようにしてもよい。
【０２４１】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２４２】
また、本明細書において、システムとは、複数の装置により構成される装置全体を表するものである。
【符号の説明】
【０２４３】
１  遠隔監視通報システム
１１−１乃至１１−Ｎおよび１１  監視通報装置
１２  通信網
１３  遠隔監視通報サーバ
１４  通信網
１５−１乃至１５−Ｍおよび１５  クライアント端末装置
１１１  コマンド解析部
１１２  ユーザ設定部
１１３  送信部
１１４  受信部
１２１  ユーザアカウント発行部
１２２  権限設定部
１２３  監視通報装置設定部
１６１  表示制御部
１６２  入力制御部
１６３  コマンド生成部
１６４  送信部
１６５  受信部
【図１】
2010233231.tif 000003
【図２】
2010233231.tif 000004
【図３】
2010233231.tif 000005
【図４】
2010233231.tif 000006
【図５】
2010233231.tif 000007
【図６】
2010233231.tif 000008
【図７】
2010233231.tif 000009
【図８】
2010233231.tif 000010
【図９】
2010233231.tif 000011
【図１０】
2010233231.tif 000012
【図１１】
2010233231.tif 000013
【図１２】
2010233231.tif 000014
【図１３】
2010233231.tif 000015
【図１４】
2010233231.tif 000016
【図１５】
2010233231.tif 000017
【図１６】
2010233231.tif 000018
【図１７】
2010233231.tif 000019
【図１８】
2010233231.tif 000020